(57)【要約】【課題】小型で薄型の光ポインティング装置を得ることを目的とする。【解決手段】ＬＥＤ光源１６から照射された光は、折り曲げ素子であるプリズム１２の傾斜面１３を透過屈折し、接触面１１を照明する。前記照明光は接触面１１上の被写体で散乱反射し、該損乱反射光の一部が前記プリズム１２を透過し、前記傾斜面１３で光路変換され、結像素子であるレンズ１４により像を結ぶ。前記像は、前記撮像素子１５に画像データとして取り込まれる。画像処理により、撮像素子１５から得られた画像データから接触面１１の変化が抽出され、被写体の動きの量と方向を得ることができる。【選択図】図1
2010165138.tif 000002
【特許請求の範囲】
【請求項１】
被写体が接触する接触面と、
前記接触面を照明する光源モジュールと、
前記接触面からの反射光を折り曲げる傾斜面を有した折り曲げ素子と、
前記反射光を像として結像させる結像素子と、
前記像を撮像する撮像素子を有し、
前記折り曲げ素子の傾斜面は、前記接触面からの散乱反射光を光路変換するとともに、前記接触面を照明する光源モジュールからの光を透過屈折させて前記接触面に導くことを特徴とする光ポインティング装置。
【請求項２】
前記像を撮像素子に結像させる結像光学系の光軸と、前記光源モジュールからの光で前記接触面を照明する照明光学系の光軸が、異なることを特徴とする請求項１記載の光ポインティング装置。
【請求項３】
前記光源モジュールは、光源と、
前記光源からの発散光の光発散度を抑制するレンズから構成されていることを特徴とする請求項１に記載の光ポインティング装置。
【請求項４】
前記光源モジュールは、光源と、
前記光源からの発散光を、前記折り曲げ素子の傾斜面の法線方向へ曲げる素子から構成されていることを特徴とする請求項１に記載の光ポインティング装置。
【請求項５】
前記光源からの発散光を、前記折り曲げ素子の傾斜面の法線方向へ曲げる素子は、光出射面が傾斜しているプリズムあるいは回折素子であることを特徴とする請求項４記載の光ポインティング装置。
【請求項６】
請求項１〜５に記載の光ポインティング装置を備えたことを特徴とする電子機器。
【発明の詳細な説明】
【技術分野】
【０００１】
本発明は入力装置に関し、より詳細には、携帯型電話機等の電子機器に搭載可能な光ポインティング装置に関する。
【背景技術】
【０００２】
携帯電話やＰＤＡ（Ｐｅｒｓｏｎａｌ  Ｄｉｇｉｔａｌ  Ａｓｓｉｓｔａｎｔｓ）などの携帯情報端末に代表される小型の電子機器では、キーパッドを利用したユーザーインターフェースを採用しており、このようなキーパッドは、数字及び文字を入力するための複数個のボタンと、方向ボタンにより構成されている。一方、近年、携帯情報端末のディスプレイ部の高性能化に伴い、携帯情報端末においても、ＧＵＩ（Ｇｒａｐｈｉｃａｌ  Ｕｓｅｒ  Ｉｎｔｅｒｆａｃｅ）の採用が主流となってきている。
【０００３】
このように携帯情報端末等電子機器の機能がコンピューターと類似に変化することにより、その入力方法も、従来のメニューキーおよびその他の機能キーを方向キーとして用いることで所望する機能の動作を行う方法では不便となり、コンピューターに用いられているようなマウスやタッチパッドのような操作を可能とするポインティング装置が求められるようになってきた。
【０００４】
前記ポインティング装置として、装置に接触する指先等被写体の模様を撮像素子で観察することで接触面の変化を抽出する光ポインティング装置が提案されている（特許文献１）。この構成では、光源により接触面を照明し、接触面の模様をレンズで撮像素子に結像させ、検出した前記模様の変化から指先の動きを入力信号に変換している。
【０００５】
しかし上記の結像光学系では、接触面からの光を撮像素子に結像させるために、接触面から撮像素子までの距離が必要となり、光ポインティング装置の垂直方向の長さを短くできなかった。携帯情報端末に代表される小型の電子機器では装置の厚みが薄いことが求められることから、光ポインティング装置においても、厚みである垂直方向の長さを短くすることが求められる。
【０００６】
前記要求を満たすため、接触面の直下にプリズム等光路の折り曲げ素子を配置し、光路を水平方向に折り曲げることで、光路を長く保ちながら光ポインティング装置の垂直方向の長さを短くする方法が提案されている（特許文献２、３）。この技術では光路を水平方向に折り曲げているため、光路が長くなっても装置の垂直方向の長さには影響しない。このため光路を長く取りながら垂直方向の長さが短いポインティング装置の実現を図っている。
【０００７】
しかしながら、上記特許文献２では、ＬＥＤ光源で指接触面を照明するために、前記折り曲げ素子より上部のスペースを使用して指を照らすための光を指接触面まで導く必要がある。つまり照明光学系の制約により、折り曲げ素子より上の部分が厚くなり、光ポインティング装置の厚みが薄くできておらず、薄型の結像光学系のメリットが損なわれている。
【０００８】
また、上記特許文献３でも、同様に照明用光学系を、折り曲げ素子より上部に配置する必要があり、その分、厚みが厚くなる課題があった。
【先行技術文献】
【特許文献】
【０００９】
【特許文献１】特表２００７−５２８５５４
【特許文献２】特表２００８−５０７７８７
【特許文献３】特表２００８−５１０２４８
【発明の概要】
【発明が解決しようとする課題】
【００１０】
本発明は上記の課題を鑑みてなされたものであり、折り曲げ素子を使用した光ポインティング装置に関して、厚みを増加させることなく被写体を照明する照明光学系を実現することで、より小型の光ポインティング装置を提供するものである。
【課題を解決するための手段】
【００１１】
上記課題を解決するため、この発明の光ポインティング装置は
被写体が接触する接触面と、
接触面を照明するＬＥＤ等を光源とする光源モジュールと、
前記接触面からの反射光を折り曲げる傾斜面を有したプリズム等の折り曲げ素子と、
前記反射光を像として結像させるレンズ等の結像素子と、
前記像を撮像するＣＣＤ等の撮像素子と、を有する光ポインティング装置であって、
前記折り曲げ素子の傾斜面は前記接触面からの散乱反射光を光路変換するとともに、前記接触面を照明する前記光源モジュールからの光を透過屈折させて前記接触面に導くことを特徴とする。
【００１２】
この発明の光ポインティング装置においては、前記折り曲げ素子の傾斜面を、前記接触面からの散乱反射光を光路変換する反射面と、前記接触面を照明する光源モジュールからの光を透過屈折させて接触面に導く透過屈折面として兼用することとなり、光学部品の削減と光ポインティング装置の小型薄型化を実現している。
【００１３】
また、一実施形態の光ポインティング装置では、前記像を撮像素子に結像させる結像光学系の光軸と、前記光源モジュールからの光で前記接触面を照明する照明光学系の光軸が、異なることを特徴とする。
【００１４】
この発明の光ポインティング装置においては、前記照明光が迷光として撮像素子に入射することを回避できるため、ノイズ成分を低減でき、像の認識率を改善できる。
【００１５】
また、一実施形態の光ポインティング装置では、接触面を照明する光源モジュールが、ＬＥＤ等の光源と、前記光源からの発散光の光発散度を抑制するレンズから構成されていることを特徴とする。
【００１６】
この発明の光ポインティング装置においては、前記光源モジュールからの光を効率的に前記接触面まで伝送することができる。このため、光出射量を削減でき、消費電力を低減できる。さらに、迷光も減るため、ノイズ成分を低減でき、像の認識率を大幅に改善できる。
【００１７】
また、一実施形態の光ポインティング装置では、接触面を照明する光源モジュールが、ＬＥＤ等の光源からの発散光を、前記折り曲げ素子の傾斜面の法線方向へ曲げる素子から構成されていることを特徴とする。
【００１８】
この発明の光ポインティング装置においては、被写体に対して光を斜めから照明することができ、被写体の影が発生しやすく、指紋等被写体像を結像させるときコントラストが高くなり、被写体の認識率を向上することができる。
【００１９】
また、一実施形態の光ポインティング装置では、接触面を照明する光源モジュールが、前記ＬＥＤ等の光源からの発散光を、前記折り曲げ素子の傾斜面の法線方向へ曲げる素子として、光出射面が傾斜しているプリズムあるいは回折素子を用いることを特徴とする。
【００２０】
この発明の光ポインティング装置においては、前記プリズムあるいは回折素子を、前記ＬＥＤ等の光源を封止するモールド部と一体成形が可能なため、部品点数を削減でき、低コスト化ができる。
【発明の効果】
【００２１】
この発明の光ポインティング装置によれば、折り曲げ素子の傾斜面を、被写体からの散乱反射光の反射面と、前記被写体面を照明する光源モジュールからの光の透過屈折面として兼用することで、小型かつ薄型の照明光学系を実現でき、より小型の光ポインティング装置が実現できる。
【図面の簡単な説明】
【００２２】
【図１】本発明の第１実施形態の光ポインティング装置を説明する断面図である。
【図２】本発明の第１実施形態の光ポインティング装置の照明光学系を説明するための図である。
【図３】本発明の第１実施形態の光ポインティング装置の結像光学系を説明するための図である。
【図４】本発明の第１実施形態の光ポインティング装置を説明する上面図である。
【図５】本発明の第２実施形態の光ポインティング装置の照明光学系を説明するための図である。
【図６】本発明の第３実施形態の光ポインティング装置の照明光学系を説明するための図である。
【図７】本発明の第３実施形態の光ポインティング装置の別の照明光学系を説明するための図である。
【図８】本発明の光ポインティング装置を用いた携帯型電話機の一実施例を示した図である。
【発明を実施するための形態】
【００２３】
以下、本発明の実施の一形態について、光源としてＬＥＤを用いた光ポインティング装置を例として説明する。なお、本発明は、以下の実施の形態の構成に限定されるもではない。指紋認証システム等のスキャナー型装置等、同一の構成を採用するものであれば、光入力インターフェイス全般に適用可能である。
【００２４】
なお、以下の実施形態においては、同一の機能および作用を示す部材については、同一の符号を付し、説明を省略する。
【００２５】
(第１実施形態)
図１は本発明の光ポインティング装置１の第１実施形態の構成を説明するための断面図である。
【００２６】
本図では図示されない指先等被写体の像は、折り曲げ素子であるプリズム１２の垂直方向上側の面である接触面１１から散乱反射光として取り込まれる。この折り曲げ素子であるプリズム１２内で前記散乱反射光は、傾射面１３を反射し、結像素子であるレンズ１４により像を結び、撮像素子１５により画像データとして取り込まれる。撮像素子１５から得られた画像データは画像処理により接触面１１の変化が抽出され、前記被写体の動きの量と方向を得ることができる。また、前記被写体を照明するために光源モジュールを構成するＬＥＤ光源１６が前記折り曲げ素子であるプリズム１２の下に配置されている。
【００２７】
本発明の折り曲げ素子であるプリズム１２と前記接触面１１が、光ポインティング装置１のカバー部と一体で構成することで厚みを削減するとともに、前記傾斜面１３を高精度に形成でき、光ポインティング装置１の組み立て性があがる。
【００２８】
結像素子であるレンズ１４は、立ち下げプリズム２３と一体に構成されている。前記立ち下げプリズム２３をカバー２４に組み付ける構造とすることで、前記傾斜面１３、結像素子であるレンズ１４および立ち下げプリズム２３の位置関係を高精度に管理できる。
【００２９】
絞り２２は、前記結像素子であるレンズ１４に入射すると問題となる迷光を遮断するために結像素子であるレンズ１４の有効面外に貼付けられている。
【００３０】
撮像素子１５は、例えば回路基板２１上に接合されて透明樹脂２０ｂで封止されている。ＬＥＤ光源１６も同一回路基板２１上に接合されており、透明樹脂２０ａで封止され光源モジュールを構成しているが透明樹脂２０ｂとは分離されており、ＬＥＤ光源１６の光が樹脂内部を伝播して前記撮像素子１５に漏れこむのを防いでいる。
【００３１】
なお、ＬＥＤ光源１６、撮像素子１５が搭載されている回路基板２１は、前記プリズム２３や結像素子であるレンズ１４等の光学系とは、前記ＬＥＤ光源１６、撮像素子１５を封止する透明樹脂２０ａ、２０ｂの上面をアタリ基準として組みたてられている。
【００３２】
接触面１１の上には指先等の被写体が接触する。前記被写体は、ＬＥＤ光源１６から発せられた照明光学系の光軸Ｍで示される照明光で照明され、散乱反射する。前記被写体は、散乱反射像を形成するが、前記散乱反射光の一部が結像光学系の光軸Ｌで示される結像光となる。前記散乱反射像は、プリズム１２内部を透過し、前記傾斜面１３で反射、好ましくは全反射により光路変換され、結像素子であるレンズ１４により撮像素子１５上に像を結ぶ。前記撮像素子１５上に結んだ像は、図示されないＤＳＰ（Ｄｉｇｉｔａｌ  Ｓｉｇｎａｌ  Ｐｒｏｃｅｓｓｏｒ）に画像データとして取り込まれる。
【００３３】
前記撮像素子１５は、ＣＭＯＳやＣＣＤ等のイメージセンサであり、前記接触面１１の像を一定の間隔で撮影し続ける。被写体が移動した場合、撮影される画像は直前に撮影したものとは、所定量ずれた画像となる。前記画像中の同一部分のずれ量を前記ＤＳＰで比較して、前記被写体の移動量と移動方向を判断している。
【００３４】
図２は本発明の第１実施形態の光ポインティング装置１の照明光学系を、図３は本発明の第１実施形態の光ポインティング装置１の結像光学系を、被写体として指先１０を使用した場合に関して説明するための図である。
【００３５】
該光ポインティング装置１の光学系は  被写体である指先１０が接触する接触面１１と傾斜面１３を有する本発明の折り曲げ素子であるプリズム１２、結像素子であるレンズ１４、撮像素子１５と、前記指先１０を照明するＬＥＤ光源１６から構成されている。
【００３６】
前記指先１０を照明するためのＬＥＤ光源１６は、プリズム１２の下部に配置されており、ＬＥＤ光源１６から照射された光は、プリズム１２の前記傾斜面１３を透過屈折し、前記接触面１１を照明光学系の光軸Ｍで示す斜め方向から照らす。
【００３７】
図1の装置を上から見た図を図４に示す。ＬＥＤ光源１６はその出射光が、上から即ち被写体である指先１０側から見た状態で結像光学系の光軸Ｌとは一致しないように、結像光学系の光軸Ｌに対して斜めに配置する。ＬＥＤ光源１６からの指先１０を照射する方向に向かう照明光学系の光軸Ｍが、結像光学系の光軸Ｌと異なるようにすることで、指先１０に当たらない照明光が撮像素子１５に入射しにくくなり、認識率の向上が図れ、誤動作しにくくなる。
【００３８】
前記接触面１１の上には被写体である指先１０が接触する。前記指先１０は、前記ＬＥＤ光源１６から発せられた照明光学系の光軸Ｍの照明光で斜め方向から照明され、図３に示すように散乱反射する。
【００３９】
指先１０は接触面１１に接触したとき、主に指紋の散乱反射像を形成するが、前記指紋の像は、結像光学系の光軸Ｌで示すように、プリズム１２内部を透過し、前記傾斜面１３で反射、好ましくは全反射され、結像素子であるレンズ１４により撮像素子１５上に像を結ぶ。前記傾斜面１３での反射は、フレネル反射でも良いが全反射とすることで、より多くの光を折り曲げられ、得られる像の明るさが明るくでき、信号対ノイズ比を高くすることができる。
【００４０】
このとき指紋の像を形成する方法として、接触面１１を透過した照明光が指紋を照明し、指紋からの散乱反射光を撮像素子１５に結像させる方法がある。この場合は、照明光は接触面１１を透過させる必要があるため、照明光ができるだけ接触面１１で全反射しない角度で入射させる必要がある。つまり、プリズム１２の屈折率をｎとしたとき、照明光の接触面１１に対する入射角θは    
θ  ＜  ＡｒｃＳｉｎ（１／ｎ）     （１）
を満たす必要がある。またプリズム１２の頂角をα、照明光の傾斜面１３への入射角をγ、傾射面１３からプリズム１２内への入射角をβとした場合、下記の関係がある。
【００４１】
γ  ＝  ＡｒｃＳｉｎ （ｎ×Ｓｉｎ（α−θ）)    （２）
例えば、図２においてプリズム１２の屈折率ｎを１．５とした場合、照明光の接触面１１に対する入射角θは（１）式より、４１．８°より小さくする必要がある。
【００４２】
このときプリズムの頂角α＝４５°とすると、照明光の傾斜面への入射角γは、４．８°より大きくする必要がある。
【００４３】
また、指紋の像を形成する方法として、指が接触面１１に接触していない場合、照明光が接触面１１を透過せず、全反射する状態であり、指が接触した場合、接触部分で照明光の全反射条件が崩れ、接触面を光が透過して指紋を照明し、指紋からの散乱光を撮像素子１５に結像させる方法がある。この場合は、照明光を接触面１１で全反射させる必要があるため照明光ができるだけ接触面１１で透過しない角度で入射させる必要がある。つまり、プリズムの屈折率をｎとしたとき、照明光の接触面１１に対する入射角θは    
θ  ＞  ＡｒｃＳｉｎ（１／ｎ）    （３）
を満たす必要がある。またプリズム１２の頂角をα、照明光の傾斜面への入射角をγ、傾射面からプリズム１２内への出射角をβとした場合、前記（１）式の関係がある。
【００４４】
例えば、図２においてプリズム１２の屈折率ｎを１．５とした場合、照明光の接触面１１に対する入射角θは（３）式より、４１．８°より大きくする必要がある。
【００４５】
このときプリズムの頂角α＝４５°とすると、照明光の傾斜面への入射角γは、４．８°より小さくする必要がある。
【００４６】
なお、指が接触面１１に接触したときに、前記接触面１１での透過光も、接触面１１での全反射光も被写体である指先１０を照明し、指紋等からの散乱光を撮像素子１５に結像できる方式の場合であれば、上記（２）式および（３）式の制約はなくなる。即ち、接触面１１への広い入射角範囲の光を利用できる。
【００４７】
なお、結像素子１４に関して、本実施形態ではレンズを使用して説明したが、レンズの他にピンホールを用いることも可能である。ピンホールを用いた場合、結像素子１４を薄くすることができるため、小型化に有利である。一方レンズを用いた場合、小さなサイズでより多くの光を取り込めるため、得られる像の明るさが明るくでき、信号対ノイズ比を高くすることができる。
【００４８】
以上、本実施形態の光ポインティング装置１においては、前記折り曲げ素子であるプリズム１２の傾斜面１３を、接触面１１からの結像光学系の光軸Ｌで示される結像光を反射好ましくは全反射させる光路変換面である反射面と、前記接触面１１を照明するＬＥＤ光源１６からの照明光学系の光軸Ｍで示される照明光を透過屈折させて接触面１１に導く透過屈折面として兼用することとなり、部品点数の削減、低コスト化および光ポインティング装置の小型薄型化を実現できる。
【００４９】
また、接触面１１に対して照明光学系の光軸Ｍで示される照明光が斜め方向から入射することにより、被写体である指先１０の凹凸即ち指紋の影が発生しやすく、指紋像を結像させるとき高いコントラストが得られ、認識感度を向上させることができる。
【００５０】
(第２実施形態)
図５は本発明の光ポインティング装置１の第２実施形態の光学系を、被写体として指先１０を使用した場合に関して説明するための図である。
【００５１】
本実施形態では、光源モジュールとして、図５に示すようにＬＥＤ光源１６が、発光面１６ａ上に集光レンズ１７を配置する。
【００５２】
このとき集光レンズ１７はＬＥＤ光源１６の劣化を防ぐために設けられる封止樹脂２０aと一体成形されている。これによりレンズ面１７がＬＥＤ出射面１６ａに比較的近接して配置することができ、小面積のレンズ面でＬＥＤ出射光のうち発散度が高い光線まで、集光できる効果がある。
【００５３】
ＬＥＤ光源１６の発散光は、前記集光レンズ１７により集光され、折り曲げ素子であるプリズム１２の傾斜面１３を介し、効率よく指先１０の方向を照射することができる。
【００５４】
よって、無駄になる光を少なくすることで、迷光等のノイズ成分を低減し、撮像素子１５へ入射する信号の品質を向上させるとともに、ＬＥＤ光源１６の消費電力を抑えることができる。また、前記集光レンズ１７の形状を、半球レンズ面あるいは砲弾面にすると、その効果はより大きくなる。
【００５５】
(第３実施形態)
図６および図７は、本発明の光ポインティング装置１の第３実施形態の光学系を、被写体として指先１０を使用した場合に関して説明するための図である。
【００５６】
第１実施形態で述べたように、接触面に対して照明光が斜め方向から入射することにより、指紋等被写体の凹凸の影が発生し易く、被写体の像に高いコントラストが得られ、認識感度を向上させることができる。
【００５７】
本実施形態では、接触面１１に対して、より光を斜め方向から照射する方法に関して述べる。
【００５８】
図６のように、照明光学系の光軸Ｍが、折り曲げ素子であるプリズム１２の傾斜面１３の法線方向に傾けて配置すると、接触面１１に対して、より光を斜め方向から照射することが可能である。しかしながら、ＬＥＤ光源１６自体を傾けて配置することは、組み立て性に問題がある。
【００５９】
そこで、図７のように光源モジュールとして、ＬＥＤ光源１６の発光面１６ａの上に、テーパー面１８を設けて、該テーパー面１８で照明光を屈折させ、照明光学系の光軸Ｍが、折り曲げ素子であるプリズム１２の傾斜面１３の法線方向に傾けて配置する。本構成により照明光学系の光軸Ｍが、接触面１１に対してより斜めに入射するように屈折させることが可能となる。
【００６０】
図７の構成によると、ＬＥＤ光源１６自体を傾けて配置する必要がなく、ＬＥＤ光源１６を封止するための樹脂モールド２０の光出射面をテーパー面１８として斜めに成形するだけで構成することができ、コスト面や位置あわせの面で好適である。
【００６１】
また、他の方法として図示はしないが、光源モジュールとして、ＬＥＤ光源１６の発光面１６ａの上に回折素子を設け、該回折素子で照明光を回折させ、照明光の光軸Ｍが折り曲げ素子であるプリズム１２の傾斜面１３の法線方向に傾けて配置する。  本構成によっても、照明光学系の光軸Ｍを、接触面１１に対してより斜めに入射させることが可能となる。この場合もＬＥＤ光源１６自体を傾けて配置する必要がなく、ＬＥＤ光源１６を封止するための樹脂モールド２０の表面部分に回折格子を形成するだけで構成することができる。前記回折格子はレリーフ型を採用すれば、ＬＥＤ光源１６を封止するための樹脂モールド２０の成形と同時に作製することが可能である。
【００６２】
(第４実施形態)
第４実施形態では、電子機器である携帯型電話機へ本発明の光ポインティング装置を搭載した場合に関して説明する。
【００６３】
図８の（Ａ）〜（Ｃ）は、携帯型電話機の構成を示した図である。図８の（Ａ）は、携帯型電話機１００の正面側であり、図８の（Ｂ）は、携帯型電話機１００の背面側であり、図８の（Ｃ）は、携帯型電話機１００の側面側である。
【００６４】
本実施形態の携帯型電話機１００は、モニター側筐体１０１、操作側筐体１０２、マイク部１０３、テンキー１０４、モニター部１０５、スピーカー部１０６、および本発明の光ポインティング装置１０７を備えている。
【００６５】
スピーカー部１０６およびマイク部１０３は、音声情報を入出力するために用いられる。モニター部１０５は、映像情報を出力するために用いられ、本第４実施形態においては、光ポインティング装置１０７からの入力情報を表示するためにも用いられる
尚、第４実施形態において、光ポインティング装置１０７は、図８（Ａ）に示すテンキー１０４の上部に配置されているが、配置方法および光ポインティング装置１０７の向きについては、これに限定されるわけではない。
【００６６】
なお、第４実施形態の携帯型電話機１００は、図８（Ａ）〜図８（Ｃ）に示すように、上部の筐体と下部の筐体とがヒンジを介して接続されている、いわゆる折りたたみ式の携帯型電話機１００を例として挙げているが、光ポインティング装置１０７を搭載することができる携帯型電話機１００は、もちろん折りたたみ式に限るものではない。しかしながら、携帯型電話機においては、本実施形態のように折りたたみ式が主流であり、折りたたんだ状態で厚みが１０ｍｍ以下の製品も登場してきている。携帯性を考慮するならばその厚みは極めて重要な要素となっている。
【００６７】
図８の背面図（Ｂ）、側面図（Ｃ）に示す操作側筐体１０２において、図示されない内部の回路基板等を除いて、その厚みを決定する部品は、マイク部１０３、テンキー１０４、
光ポインティング装置１０７となる。この中で、光ポインティング装置１０７の厚さが最も厚く、光ポインティング装置１０７の薄型化は、携帯型電話機１００の薄型化に直接繋がる。よって、本発明の光ポインティング装置は携帯型電話機等電子機器の薄型化に好適な発明である。
【符号の説明】
【００６８】
１  光ポインティング装置  
１０  被写体（指先）
１１  接触面  
１２  折り曲げ素子（プリズム）
１３  傾斜面  
１４  結像素子（レンズ）  
１５  撮像素子
１６  ＬＥＤ光源  
１７  集光レンズ
１８  テーパー面    
２０  樹脂モールド  
２１  回路基板    
２２  絞り    
２３  立ち下げプリズム
２４  カバー    
１００  携帯型電話機
１０１  モニター側筐体
１０２  操作側筐体
１０３  マイク部
１０４  テンキー
１０５  モニター部
１０６  スピーカー部
１０７  光ポインティング装置
Ｌ  結像光学系の光軸    
Ｍ  照明光学系の光軸
【図１】
2010165138.tif 000003
【図２】
2010165138.tif 000004
【図３】
2010165138.tif 000005
【図４】
2010165138.tif 000006
【図５】
2010165138.tif 000007
【図６】
2010165138.tif 000008
【図７】
2010165138.tif 000009
【図８】
2010165138.tif 000010